【手続補正書】
【提出日】平成20年10月8日(2008.10.8)
【手続補正１】
【補正対象書類名】明細書
【補正対象項目名】全文
【補正方法】変更
【補正の内容】
【書類名】              明細書
【発明の名称】        走行形鱗茎作物調製機
【特許請求の範囲】
【請求項１】  特定箇所に供給された鱗茎作物から根部や鱗茎部以外の茎葉部を切除するように作動する走行形鱗茎作物調製機において、調製処理後の鱗茎部を収容するためのコンテナを載せるものとしたコンテナ台を機体の側部に形成したことを特徴とする走行形鱗茎作物調製機。
【請求項２】  特定箇所に供給された鱗茎作物から根部や鱗茎部以外の茎葉部を切除するように作動する調製処理関連機構を、走行部に支持された機台上に載設した走行形鱗茎作物調製機において、コンテナ台を機台と概略同一高さとなしたことを特徴とする請求項１に記載の走行形鱗茎作物調製機。
【請求項３】  コンテナ台が平面構造となされると共に不使用状態では機体側部に近接されるように折り畳まれる構造となされていることを特徴とする請求項１〜２の何れかに記載の走行形鱗茎作物調製機。
【請求項４】  コンテナ台のコンテナ受け面が機体左右向き軸回りに回転される多数のローラを前後方向へ並設して形成してあることを特徴とする請求項１〜３の何れかに記載の走行形鱗茎作物調製機。
【発明の詳細な説明】
【０００１】
【発明の属する技術分野】本発明は、玉葱等の鱗茎作物から鱗茎部以外の茎葉部を切除するように作動する走行形鱗茎作物調製機に関する。
【０００２】
【従来の技術】特定箇所に供給された玉葱から茎葉部や根部を切除するように作動する走行形玉葱調製機は存在しており、その一例として例えば特開平８−２４３号のようなものがあるのであって、これの概要を説明すると、走行部に支持された機台上に玉葱供給搬送部、根部切断装置、茎葉切断装置及び玉葱鱗茎部送出部のほか茎葉排出装置を載設してあり、圃場から抜き上げられた状態の玉葱が人手により玉葱供給搬送部に供給され、この供給された玉葱から根部と、鱗茎部を除いた茎葉部とを根部切断装置及び茎葉切断装置により切除する処理である調製処理を行い、この調製処理により得られた玉葱鱗茎部を圃場上に落下させる一方、切除した茎葉部は茎葉排出装置により機体の一側へ排出する構成となされている。
【０００３】
【発明が解決しようとする課題】上記した従来の走行形玉葱調製機では、調製処理後に圃場に落下された玉葱鱗茎部をコンテナを使用して手作業で拾い集めることが必要となるのであり、この拾い集め作業が多大な労力を要するものとなっている。本発明は、このような拾い集め作業を不必要とするものとした走行形鱗茎作物調製機を提供することを目的とする。
【０００４】
【課題を解決するための手段】上記目的を達成するため、本発明では次のようになす。即ち、請求項１に記載した発明では、特定箇所に供給された鱗茎作物から根部や鱗茎部以外の茎葉部を切除するように作動する走行形鱗茎作物調製機において、調製処理後の鱗茎部を収容するためのコンテナを載せるものとしたコンテナ台を機体の側部に形成する。この発明によれば、コンテナ台がコンテナを支持した状態で機体と同体に移動するのであり、このことが、調製処理された鱗茎部を圃場の地面上に落下させることなくコンテナ内に収容することを可能となす。
【０００５】また請求項２に記載した発明では、特定箇所に供給された鱗茎作物から根部や鱗茎部以外の茎葉部を切除するように作動する調製処理関連機構を、走行部に支持された機台上に載設した走行形鱗茎作物調製機において、コンテナ台を機台と概略同一高さとなす。これによれば、機体の安定性が図られるほか、走行路面に接触しないものとなる。またコンテナ台の取付構成が簡単なものとなる。
【０００６】また請求項３に記載した発明では、請求項１〜２の何れかに記載の走行形鱗茎作物調製機におけるコンテナ台が平面構造となされると共に不使用状態では機体側部に近接されるように折り畳まれる構成となす。
これによれば、コンテナ台の不使用状態では、コンテナ台の機体からの張り出し量が短縮され、取扱いに便利となる。
【０００７】また請求項４に記載した発明では、請求項１〜３の何れかに記載の走行形鱗茎作物調製機におけるコンテナ台のコンテナ受け面を、機体左右向き軸回りに回転される多数のローラを前後方向へ並設して形成する。これによれば、多数のローラがコンテナ台上のコンテナの前後移動を容易となして複数のコンテナへの鱗茎部の収容処理を便利となす。
【０００８】
【発明の実施の形態】図１〜図１６は本発明の一実施例に係る走行形鱗茎作物調製機に関するもので、図１は全体斜視図、図２は全体側面図、図３はコンテナ台を省略した全体側面図、図４は延長供給搬送部を示す平面図、図５は全体正面図、図６は鱗茎部送出部周辺を示す正面視断面図、図７は調製処理機構を示す側面図、図８は調製処理機構部の平面図、図９は根部切断装置周辺を示す側面図、図１０は根部切断装置周辺を示す後面図、図１１は根部切断装置の要部を単独状態とした状態を示す側面図、図１２は根部切断装置の要部を単独状態とした状態を示す平面図、図１３は鱗茎部送出部を示す正面視断面図、図１４は駆動系統の動力断続部を示す側面図、図１５は駆動系統を示す側面図、図１６は駆動系統を示す後面図である。
【０００９】図１〜図８に示すように、本発明の走行形鱗茎作物調製機は、走行部１に支持された機台２を備えると共に、機台２上には前側から鱗茎作物供給搬送部３、鱗茎作物調製処理部４及び鱗茎部送出部５を載設するほか、鱗茎部送出部５の後側に操縦部６を形成したものとなされている。
【００１０】先ず走行部１について説明すると、左右一対の走行クローラ１ａ、１ｂを備えたものとなされており、左右の走行クローラ１ａ、１ｂは巾９００ｍｍ程度の畝ｈ上でも横方へ張り出すことなく走行するようになされている。
【００１１】次に鱗茎作物供給搬送部３について説明すると、作業者が特定箇所に手供給した鱗茎作物ｗを受け取って鱗茎作物調製処理部４に供給搬送するもので、具体的には次のようになされている。
【００１２】即ち、前面、上面及び左右側面とからなる前側ケース７を機台２の前部に固定されており、このケース７の前面の上部巾中央箇所と、上面の巾中央箇所の前後方向部位とは鱗茎作物ｗの移動を可能とするように切除された切欠溝ａとなされている。この切欠溝ａの前端部には鱗茎作物供給搬送部３の一部をなす延長供給搬送部３ａが左右一対の前後向きフレーム部材２００、２００を介して支点軸２０１回りの揺動操作可能に枢着されている。
【００１３】上記前後向きフレーム部材２００、２００のそれぞれには上面と側面からなるケース部材２０２、２０２が左右対称に固定されると共に、左右のケース部材２０２、２０２の上面の内方端縁ｔ、ｔは鱗茎作物ｗの処理に関連した特定距離だけ離間させて前後向きの通路ａ１を形成している。また左右の前後向きフレーム部材２００、２００は正面視Ｕ字形に屈曲された棒部材２０３で一体状に連結されている。
【００１４】延長供給搬送部３ａの前部から鱗茎作物調製処理部４に至る範囲には図７及び図８に示すように前記通路ａ１及び切欠溝ａに関連させて鱗茎作物供給用搬送手段１１が設けてあり、この搬送手段１１はケース部材２０２及び前側ケース７内で前後向きとなされた鱗茎作物支持搬送部１２と、この搬送部１２の前部下方に位置され且つケース部材２０２内に形成された茎葉保持搬送部１３と、前側ケース７内に位置され且つ前記搬送部１３の後方で前記搬送部１２の後部下側に位置された茎葉下方引き搬送部１４とからなる。
【００１５】鱗茎作物支持搬送部１２は無端状となされ且つ断面を円形となされた左右一対の搬送ベルト１５、１５を備え、これらベルト１５、１５の対向部間が搬送経路ｂとなされて前記通路ａ１及び切欠溝ａに沿わせて位置されており、且つ各搬送ベルト１５、１５を機台２上の特定位置に支持された駆動プーリ１６と、延長供給搬送部３ａの本体フレーム２００に支持された従動プー
リ１７とに掛け回すと共に、各搬送ベルト１５、１５の前後方向長さ途中を前側ケース７内の前部に設けた案内プーリ２０４、２０４と、延長供給搬送部３ａのケース部材２０２、２０２内の後部に設けた案内プーリ２０５、２０５とに案内させるほか、これら案内プーリ２０４、２０５間の横方に位置した支点軸２０１、２０１を介してこの軸回りの回転自在とした複数の横向きローラ２０６、２０６に案内させることにより特定軌道上での周回作動可能となされ、且つ延長供給搬送部３ａが支点軸２０１、２０１回りの任意角度に固定された状態の下でも、左右の搬送ベルト１５、１５が鱗茎作物茎葉部ｗ２の元側部分を前端に受け入れて後方へ挟持搬送し得るようになされている。この際、左右の搬送ベルト１５、１５の対向部は適当に離間されているため実際には鱗茎部ｗ１を支えるだけで茎葉部ｗ２を挟持するものとはならない。各中間プーリ２０４、２０５の固定された回転中心軸２０７、２０８には平面視スター形の茎葉掻込ホイール２０９、２０９が固定してあり、これら茎葉掻込ホイール２０９、２０９は各プーリ２０４、２０５と同体回転してこれの前側近傍に位置した鱗茎作物茎葉部ｗ２を後方へ送り込むようになしてある。
【００１６】茎葉保持搬送部１３は無端状となされた左右一対の搬送ベルト２１０、２１０を備え、これらベルト２１０、２１０の対向部間が保持搬送経路となされて前記搬送経路ｂの直下に位置されると共に、延長供給搬送部３ａの搬送ベルト１５、１５の前後傾斜方向に平行となされており、各搬送ベルト２１０、２１０は背面にスポンジを貼付けされたＶベルトとなされ、前記従動プーリ１７、１７の回転中心軸２１１、２１１に固定された駆動プーリ２１２、２１２及び、前記中間プーリ２０５、２０５の回転中心軸２０８、２０８に固定された従
動プーリ２１３、２１３に掛け回されて特定軌道上での周回作動可能となされている。各回転中心軸２１１、２１１には平面視スター形の茎葉掻込ホイール２０９、２０９が固定してあり、鱗茎作物支持搬送部１２の前端に供給された玉葱ｗの茎葉部ｗ２を後方へ掻き込むものとなされている。
【００１７】茎葉下方引き搬送部１４は無端状となされた左右一対の搬送ベルト２０、２０を備え、これらベルト２０、２０の対向部間が搬送経路となされて前記搬送経路ｂの直下に位置され、後方へ向かうに伴って漸次降下するようになされており、且つ各搬送ベルト２０は背面にスポンジを貼付けされたＶベルトとなされ、駆動プーリ２１、従動プーリ２２及び中間プーリ２３に掛け回されて特定位置での周回作動可能となされている。そして、左右の搬送ベルト２０、２０は鱗茎作物支持搬送部１２の鱗茎作物ｗの搬送中、鱗茎作物茎葉部ｗ２を搬送始端に受け入れた後、斜め下方へ向けて挟持搬送し、この搬送過程で鱗茎作物茎葉部ｗ２を漸次下方へ引張し緊張させて、鱗茎作物鱗茎部ｗ１の肩部が鱗茎作物支持搬送部１２の左右一対の搬送ベルト１５、１５に密接され支持された状態となるように鱗茎作物ｗを引き変位させるようになされている。このように茎葉部ｗ２を引張ることで、鱗茎部ｗ１の向きが垂直状に揃うのである。
【００１８】前記左右一対の従動プーリ２２、２２の下方には鱗茎作物茎葉部ｗ２の先寄り部ｗ２'を切り離すための荒切り装置２５が設けてあり、この装置２５は、左右配置された前記従動プーリ２２、２２を固定され且つ一定位置での回転自在となされたそれぞれの回転中心軸２６、２６を延長して形成した各縦向きディスク駆動軸２７の下端に切刃としてのディスク刃２８を固定し、これらディスク刃２８を搬送経路ｂの直下位置で重合させ、この重合部が後方へ変位するように回転されると共に、これらディスク刃２８の重合部で鱗茎作物茎葉部ｗ２を切断して、その先寄り部ｗ２'を切除するようになしてある。
【００１９】荒切り装置２５の下方には第一の茎葉部排出装置としてのベルトコンベア２９が横向きに設けてあり、前記ディスク刃２８、２８で切り離された鱗茎作物茎葉部ｗ２の先寄り部ｗ２'をコンベアベルト３０で受け止めて機台２の右横外方へ放出するものとなされている。
【００２０】次に鱗茎作物調製処理部４について説明すると、上記鱗茎作物供給搬送部３により供給搬送された鱗茎作物ｗからその茎葉部元側部分と根部を切除する処理を行うもので、具体的には次のようになされている。
【００２１】即ち、前側ケース７よりも高くなされて鱗茎作物調製処理機構の外周囲を包囲するものとした後側ケース３１を備えており、鱗茎作物調製処理機構として、このケース３１内方に根部切断装置３２、根起こしブラシ装置３３、鱗茎作物処理搬送部３４、仕上げ切り装置３５及び第二の茎葉部排出装置３６が設けてある。
【００２２】上記根部切断装置３２は機台２と同体に固定された起立支持枠３７に支持させるのであり、このため図９及び図１０に示すように、起立支持枠３７の左右各側から後向きへ各々上下二本のリンク部材２１４、２１４を延設し、これらのリンク部材２１４、２１４の先端部に方形枠部材２１５を軸着して四節平行リンク機構３９を形成し、また方形枠部材２１５に側面視鈎状の伝動ケース４０をこれの左右端部に固定された係着部材２１６、２１６を介して脱着可能に固定し、この伝動ケース４０から下向きに左右一対の縦向きディスク駆動軸４１を突出させ、この駆動軸４１のそれぞれにディスク刃４２を固定し、これらディスク刃４２、４２を前記搬送経路ｂの延長線上で重合させて、それぞれのディスク刃４２の重合部が後向きへ変位するように回転させ、これらディスク刃４２、４２が鱗茎作物鱗茎部ｗ１からその根部を切除するようになしてある。
【００２３】上記方形枠部材２１５は左右の起立状側辺部２１５’、２１５’の上下位置にピン部材２１６ａ、２１６ｂを横外方へ突出させて固着すると共に各起立状側辺部２１５’、２１５’の長さ中央位置に横向き雌ネジ部２１５ｃ、２１５ｃを形成されたものとなされている。一方、左右の各係着部材２１６は図１１に示すように起立部２１６ａの前縁に２つの鈎状切欠部２１７、２１８と１つの上向き直状切欠部２１９とを形成されている。各係着部材２１６が方形枠部材２１５に係着された状態では１つの鈎状切欠部２１７及び直状切欠部２１９がその対応するピン部材２１６ａ、２１６ｂに嵌合され、且つ、他の１つの鈎状切欠部２１８が図１０に示すように横向き雌ネジ部２１５ｃに螺合された状態の手摘み雄ネジ２２０に嵌合される。
【００２４】そして、左右一対のディスク刃４２、４２の重合部の前後近傍箇所には伝動ケースを介してディスク刃４２、４２の前後位置に回転自在に支持された樹脂製の案内輪４３a、４３ｂが設けてあり、この案内輪４３ａ、４３ｂが鱗茎作物処理搬送部３４により後方へ搬送される鱗茎作物鱗茎部ｗ１の表面を転動して鱗茎作物鱗茎部ｗ１に対するディスク刃４２、４２の上下位置を制御するようになしてあり、鱗茎作物が鱗茎作物処理搬送部３４により後方へ搬送される過程でディスク刃４２、４２がその根部の元位置を切り離すようになしてある。
【００２５】さらに起立支持枠３７と方形枠部材２１５との間には図示しない引張スプリングが張り渡してあり、方形枠部材２１５に作用する重力をそのスプリング力で打ち消すことにより、小さな上下向き外力で、ディスク刃４２、４２が上方変位するようになしてある。
【００２６】上記根起こしブラシ装置３３は前記四節平行リンク機構３９の下方に設けられているものであって、特定位置での回転自在に設けられた左右一対の前後向きの片持ちブラシ駆動軸４４、４４の先部に固定された左右一対の根起こしブラシ体４５、４５を対向状に配置し、これらブラシ体４５、４５を前記搬送経路ｂの延長線上で対向させ、この対向部が上向きへ変位するように各ブラシ体４５を回転させ、鱗茎作物処理搬送部３４で搬送されている鱗茎作物ｗの根部に接触してこれを上方へ引き起こすように作用するものとなしてある。この際、左右一対のブラシ駆動軸４４、４４は伝動ケース４０の前面から前方へ延出され、伝動ケース４０の内方でディスク駆動軸４１、４１にベベルギヤ２２１、２２１
を介して連動連結されている。
【００２７】図１１及び図１２に示すように、係着部材２１６、伝動ケース４０、ディスク駆動軸４１、ディスク４２、ブラシ駆動軸４４及び根起こしブラシ体４５は同体状の仕組み品となっているのであり、この仕組み品の保守管理等においては、方形部材２１５に対し仕組み品の全体を脱着するようになされる。
【００２８】上記仕組み品を方形部材２１５から取り外すときは、伝動ケース４０への後述する図１５に示す動力供給系統の自在継手１１１ｂと前後向き入力軸１１２とを切り離すと共に、左右各側の手摘み雄ネジ２２０、２２０を緩めた状態とした後、仕組み品の全体を上方へ引き上げ、続いて後方へ引くことにより、鈎状切欠部２１７、２１８をピン部材２１６ａや手摘み雄ネジ２２０から外す。この後、仕組み品を引き上げることにより、直状切欠部２１９をピン部材２１６ｂから外す。一方、仕組み品全体を方形部材２１５に取り付けるときはそれを取り外すときの逆を行うのである。
【００２９】図７及び図８に示すように、上記鱗茎作物処理搬送部３４は、鱗茎作物支持搬送部１２の後部上方から根切断装置３２の下方を経てさらに後方へ及ぶ範囲に渡って左右一対の挟持搬送ベルト４６、４６を前後向きとして対向状に配置し、これらベルト４６、４６の対向部間に適当な隙間を形成したものとなし、この隙間箇所を鱗茎作物鱗茎部ｗ１の搬送経路ｂ２となし前記搬送経路ｂの延長線上に合致させている。この際、各挟持搬送ベルト４６は無端状で比較的巾広となされ巾中央の外面を凹み円弧状になされており、駆動プーリ４７、従動プーリ４８及び中間プーリ４９に掛け回されて特定位置で周回作動されるようになされている。そして、左右の挟持搬送ベルト４６、４６が鱗茎作物供給搬送部３の搬
送した鱗茎作物鱗茎部ｗ１の左右側部を挟み付けて受け取り、その後、これの受取り時の上下姿勢を確実に保持しつつ後方へ搬送するようになされている。
【００３０】仕上げ切り装置３５は、機台２に平面視前広がり状配置に固定された左右一対の水平伝動ケース５０、５０の上面から上方へ突出された左右一対のディスク駆動軸５１の上端にディスク刃５２を固定し、これらディスク刃５２を鱗茎作物処理搬送部３４よりも少し低い位置で前記搬送経路ｂの延長線の下方に合致させて重合させると共にこの重合部が後方へ移動するように回転させ、鱗茎作物処理搬送部３４で後方へ搬送される鱗茎作物鱗茎部ｗ１からその茎葉部元側部分を切り離すものとなされている。
【００３１】第二の茎葉部排出装置３６は仕上げ切り装置３５の下方に横向きのベルトコンベア５３を設けると共に、ディスク刃５２の下部からコンベアベルト５４の機体後方側部分に至る案内板５５を傾斜状に設け、この案内板５５がディスク刃５２で切り離された茎葉部元側部分をコンベアベルト５４上に案内し、この後、コンベアベルト５４がこの茎葉部元側部分を機体フレーム２の右側部外方へ放出するものとなしてある。
【００３２】次に鱗茎作物送出部５について説明すると、上記鱗茎作物調製処理部４で調製処理された結果物である鱗茎作物鱗茎部ｗ１を機外に送り出すもので、具体的には次のようになされている。
【００３３】即ち、後側ケース３１の後端に連続して排出シュータ５６を機台２と同体状に設けており、この排出シュータ５６は図６及び図１３に示すように鱗茎作物処理搬送部３４と概略同じ高さの後側に位置させた方形箱状の鱗茎作物受入れ部５７と、この受入れ部５７の底面から左右の二股状に分岐されて正面視ハ字形の下り傾斜状に延長された一対の四角筒部５８、５８とを備えている。そして、前記受入れ部５７の底面には四角形の揺動切換板５９が二股状箇所の中央に位置された前後向き軸６０回りへの揺動自在に装着され、この揺動切換板５
９の後縁に突設したピン部材６１を前記受入れ部５７の後面壁に形成された円弧溝ｄを通じて後側外方に突出させ、このピン部材６１の左右移動操作により揺動切換板５９が左右揺動され、この揺動により、左右の四角筒部５８、５８の内部通路の任意な何れかが前記受入れ部５７内の空間と連通されるようになされている。
【００３４】前記受入れ部５７の前面壁には開口ｅが形成されており、この開口ｅには鱗茎作物処理搬送部３４の搬送終端から解放された鱗茎作物鱗茎部ｗ１を重力作用により鱗茎作物受入れ部５７内に案内するものとした複数の案内杆６２が前後向きの樋状配列となされて設けてある。
【００３５】この鱗茎作物送出部５では、鱗茎作物処理搬送部３４から解放された鱗茎作物鱗茎部ｗ１が複数の案内杆６２及び開口ｅを経て鱗茎作物受入れ部５７内に落下し、続いて揺動切換板５９の位置していない側の四角筒部５８内を経てこれの下端開口５８ａから外方へ送り出される。
【００３６】次に操縦部について説明すると、機台２の後方に作業者が追随して歩行しながら機体の走行移動等を操縦するように形成されているのであって、具体的には、機台２後部の左右から後上方へ操縦ハンドル６８を延出させ、これらハンドル６８にエンジン６９のアクセルレバー、操向用のサイドクラッチレバー７０及び走行クラッチレバー７１等が装着されている。
【００３７】上記エンジン６９は機台２の後端部で左右の操縦ハンドル６８の前部間に設けれており、このエンジン６９の動力が動力伝達機構を介して走行部１、鱗茎作物供給搬送部３及び鱗茎作物調製処理部４に伝達されるようになされている。
【００３８】上記動力伝達機構について図７、図８、図１４、図１５及び図１６等を参照して説明すると、次のとおりである。即ち、エンジン６９前方の機台２後部にミッションケース７２が固定してあり、このミッションケース７２の横向き入力軸７３とエンジン６９の横向き出力軸７４とをベルト伝動機構７５及びベルトテンション機構７６を介して連動連結している。そして、ベルトテンション機構７６は操縦ハンドル６８に装着された走行クラッチレバー７１と連係されると共に、前側ケース７の左右側部のそれぞれに支点軸７７回りの揺動操作可能に設けられた走行クラッチレバー７８とも連係されており、走行クラッチレバー７１、７８の何れかを揺動操作すると、ベルトテンション機構７６の作動によりベルト伝動機構７５の動力伝達が任意に断続されるようになされている。
【００３９】ミッションケース７２はこれに伝達された動力をこのケース７２内の図示しない左右のサイドクラッチ機構を経てこれに対応した左右の走行クローラ１ａ、１ｂ（図５参照）に独立的に伝達するようになされており、前記左右のサイドクラッチ機構はそれぞれ、その対応した左右の操縦ハンドル６８のサイドクラッチレバー７０と連係されており、このレバー７０の操作によりその対応する走行クローラ１ａ、１ｂへの動力伝達が任意に断続されるようになされている。
【００４０】一方、仕上げ切り装置３５の下方となる機台２箇所には横向き伝動ケース７９が固定され、この伝動ケース７９とエンジン６９との間に横向き中間軸８０を設け、横向き中間軸８０とエンジン６９の横向き出力軸７４とをベルト伝動機構８１及びベルトテンション機構８２を介して連動連結し、また横向き中間軸８０と横向き伝動ケース７９の横向き入力軸８３とをベルト伝動機構８４を介して連動連結している。そして、ベルトテンション機構８２は鱗茎作物供給搬送部３の前面部に支点軸８５回りの上下揺動操作可能に装着された作業クラッチレバー８６と連係され、このレバー８６の操作により鱗茎作物供給搬送部３及び鱗茎作物調製処理部４への動力伝達が任意に断続されるようになされている。
【００４１】上記横向き伝動ケース７９の上面からは左右一対の縦向き出力軸８７、８７が突出されており、これら出力軸８７、８７は横向き伝動ケース７９の横向き入力軸８３にベベルギヤ機構８８、８８を介して連動連結されている。そして、横向き伝動ケース７９の上方には前後方向へ比較的長い左右一対の水平伝動ケース５０、５０が配設されて機台２と同体状に固定されており、各水平伝動ケース５０、５０の後部に縦向き入力軸８９、８９が設けてあり、この入力軸８９、８９と、前記横向き伝動ケース７９における対応した縦向き出力軸８７、８７とが自在継手９０を介して連動連結されている。
【００４２】各水平伝動ケース５０、５０の縦向き入力軸８９、８９はこれらケース５０、５０の上面からさらに上方へ突出されて仕上げ切り装置３５のディスク駆動軸５１、５１となされ、これの上端にディスク刃５２、５２が固定されている。また各水平伝動ケース５０、５０の前部上面からは縦向き出力軸９１、９１が突出されており、これら出力軸９１、９１に鱗茎作物支持搬送部１２の駆動プーリ１６、１６と、茎葉下方引き搬送部１４の駆動プーリ２１、２１とが上下配置に固定されている。さらに各縦向き出力軸９１、９１はベルト伝動機構９２、９２を介して、特定位置での回転自在となされた縦向き駆動軸９３、９３と連動連結されており、各縦向き駆動軸９３、９３の上端部に鱗茎作物処理搬送部３４
の駆動プーリ４７、４７が固定されている。
【００４３】そして、駆動プーリ１６、１６に伝達された動力は断面丸形の搬送ベルト１５、１５を介して従動プーリ１７、１７に伝達され、この従動プーリ１７、１７から適宜な伝動機構を介して茎葉保持搬送部１３の搬送ベルト２１０に伝達されるようになされ、また駆動プーリ２１、２１に伝達された動力は搬送ベルト１４、１４を介して従動プーリ２２、２２及び、この従動プーリ２２、２２が固定され且つ特定位置で回転するものとなされた縦向き回転中心軸２６、２６に伝達され、この回転中心軸２６、２６から、これを下方へ延長して形成されたディスク駆動軸２７、２７を介してこの駆動軸２７、２７に固定されたディスク刃２８、２８に伝達されるようになされている。
【００４４】上記横向き伝動ケース７９の右側面からはこの伝動ケース７９の横向き入力軸８３が延長状に突出されており、この入力軸８３の先端の機体前方側には、入力軸８３先端からベベルギヤ伝動機構９５を介して動力を伝達され特定位置での回転自在となされた比較的長い前後向き回転軸９６が設けてある。そして、この回転軸９６の長さ途中箇所で仕上げ切り装置３５の下方となる箇所に第二の茎葉部排出装置３６のコンベアベルト５４の掛け回されたベルト駆動車９７を固定しており、また前後向き回転軸９６の前側やや上方にベルト伝動機構１０１を介してこの回転軸９６と連動連結された中間回転軸９８が特定位置での回転自在に設けられ、また中間回転軸９８の前側やや下方に、第一の茎葉部排出装置２９のコンベアベルト３０を掛け回されたベルト駆動車９９の固定された前後向き回転軸１００が特定位置での回転可能に設けてあり、この際、前後に位置した前後向き回転軸９６、１００はベルト駆動車９７、９９が同心に回転されるように一線状に連結されている。
【００４５】上記中間回転軸９８の上方にはこの軸９８からベルト伝動機構１０２を介して動力を伝達される前後向きの上側中間回転軸１０３が特定位置での回転自在に設けてあり、さらに起立支持枠３７の左右中央部のやや左寄り箇所にはこの上側中間回転軸１０３からベルト伝動機構１０４を介して動力を伝達される前後向きの中間伝動軸１０５が特定位置での回転自在に設けてある。
【００４６】前記中間伝動軸１０５は動力供給系統をなす連結伝動軸１１０及び自在継手１１１ａ、１１１ｂを介して前記方形枠部材２１５に固定された鈎状伝動ケース４０の前後向き入力軸１１２に連動連結されており、さらにこの入力軸１１２は鈎状伝動ケース４０内のベベルギヤ機構１１３を介してこの伝動ケース４０の出力軸である右側のディスク駆動軸４１と連動連結され、さらにこの駆動軸４１がギヤ列機構１１４を介して左側のディスク駆動軸４１と連動連結されており、これにより中間回転軸１０３に伝達された動力が左右一対のディスク刃４２、４２に伝達され、これらディスク刃４２、４２が逆向きに回転してこれらの重合部が前側から後方へ移動するようになされている。この際、後側の自在継手１１１ｂと前後茎入力軸１１２とはピンの抜き差し等で簡易に結合分離し得る構造となされている。
【００４７】一方、左右のディスク駆動軸４１、４１はベベルギヤ機構２２１、２２１を介して左右一対のブラシ駆動軸４４、４４と連動連結されており、左右のディスク駆動軸４１、４１の回転によりブラシ駆動軸４４、４４に固定された一対の根起こしブラシ体４５、４５が特定の逆向きに回転し、ブラシ体４５、４５の対向部が下側から上方へ移動するようになされている。
【００４８】次に本発明の特徴構成について図１、図２、図５及び図６等を参照して説明する。調製処理後の鱗茎作物鱗茎部ｗ１を収容するためのコンテナｃｎを載せるものとしたコンテナ台２２３が機台２の左側部に形成してあり、このコンテナ台２２３は全体を平面構造となされ且つ、コンテナ受け面部２２４と折り畳み機構２２５とを備えたものとなされている。
【００４９】コンテナ受け面部２２４は、長手方向を機体の前後方向に向けて配置される長方形枠体２２６を形成すると共に、この枠体２２６の内部に、機体左右向き軸回りに回転される多数のローラ２２７を前後方向へ並設してなるコンテナ受け面を形成したものとなしてある。そして、長方形枠体２２６の前後辺部にはコンテナｃｎのコンテナ受け面からの前後方向への脱落を規制するための突起部２２８が形成されている。この際、長方形枠体２２６は長さを凡そ機台２長さに合致させ巾を成る可く小さくなすのであって、具体的には長さ凡そ１００ｃｍ程度、巾凡そ３０ｃｍ程度となされる。
【００５０】折り畳み機構２２５は、長方形枠体２２６を機体に沿わせた状態でこの枠体２２６の機台２側の長辺部を前後向き軸２２９回りの揺動可能に枢着するヒンジ機構からなっており、前記コンテナ受け面部２２４を図１等に実線で示すような水平状態から図５に仮想線ｋａで示すような起立状態に変更させることを可能となすものであり、好ましくは、コンテナ受け面部２２４を水平状態に支持したとき、そのコンテナ受け面が機台２と概略同一高さとなるように支持するか、或いは機台２よりも低く支持するものとなすのが機体の安定性を確保する上で有利である。なお、この折り畳み機構２２５はコンテナ受け面部２２４を水平状態と起立状態のそれぞれの状態を維持させるための図示しない係止機構を具備したものとなされる。
【００５１】コンテナ台２２３に載置されるコンテナｃｎは、コンテナ受け面上の前後方向へ３個程度配列し得る長さで、コンテナ受け面に載置されたときに上縁が鱗茎部送出部５の四角筒部５８の下端開口５８ａよりも低くなる高さを有し、且つ、ローラ２２７から余り張り出さない程度の巾を有するものとなすのが適当である。
【００５２】なお、上記コンテナ台２２３は機台２の側部の前部から後部を経てさらに操縦ハンドル６８の側部まで延長することも差し支えない。また機台２の前端から前方へ張り出すように延長することも差し支えないが、この場合は延長供給搬送部３ａを支点軸２０１回りの最下位置まで降下させたときの当該搬送部３ａの前端からさらに前方へ張り出さないようになすのがよい。
【００５３】次に上記した鱗茎作物調製機を使用して、畝栽培された鱗茎作物の代表例である玉葱を収穫する際の望ましい作業方法について説明する。多数の畝ｈを並列状に形成し、各畝ｈに玉葱ｗを複数条に植え付けた状態において、公知の玉葱収穫機を使用する等して、各畝ｈの玉葱ｗを全て引き抜いてその上面に一日乃至二日程度放置して乾燥させる。これにより、玉葱鱗茎部（球状部）ｗ１の表面が幾分硬くなって傷つき難い状態となる。
【００５４】この状態の下で、本発明に係る鱗茎作物調製機Ｔを作業者が任意に選択した処理対象となる特定の畝ｈ上に進入させるのであり、この際、作業者は機体の後方から操縦ハンドル６８、６８を持って機体を操縦する。また水平状態となされたコンテナ受け面部２２４上には多数のコンテナｃｎを段重ねする等して載置した状態となす。
【００５５】機体の進入した畝（処理対象畝）ｈ上では機体を畝ｈに沿った正しい向き及び位置に設定する。そして、延長供給搬送部３ａは支点軸２０１回りの適当な傾斜状態に固定するか、図１及び図２に示すように水平状態に固定するのであり、水平状態に固定する場合は茎葉保持搬送部１３の搬送ベルト２１０、２１０はプーリ２１２、２１３から取り外した状態となすと共にケース部材２０２、２０２の上面に仮置き用コンテナｋｃを載置するのがよい。搬送ベルト２１０、２１０を取り外しても延長供給搬送部３ａが水平であれば、上側の鱗茎作物支持搬送部１２だけで玉葱ｗは搬送され得るため支障はない。またコンテナｃｎはコンテナ受け面上の前後方向に密状に配列するのであり、この際、１つの空コンテ
ナｃｎを鱗茎部送出部５の四角筒部５８の下端開口５８ａの真下に位置させる。
【００５６】この後、エンジン６９の作動状態の下で、作業クラッチレバー８６を入り操作するのであり、これにより機体は停止したままで、鱗茎作物供給搬送部３及び鱗茎作物調製処理部４が作動状態となる。
【００５７】この状態の下で、処理対象畝ｈにおける機体前部周辺に散在した玉葱ｗを延長供給搬送部３ａに供給するのである。いま、延長供給搬送部３ａが図７に示すような傾斜状態に固定されているとすると、作業者は玉葱ｗの一個ずつを倒立姿勢で鱗茎作物供給搬送部１１の搬送始端箇所ｐ１に順次に手供給する。一方、延長供給搬送部３ａが図１及び図２に示すような水平状態に固定されているとすると、作業者は畝ｈ上の玉葱ｗを拾って仮置き用コンテナｋｃ内に集めるか、或いは仮置き用コンテナｋｃを持って玉葱ｗを拾い集めるようにし、このように集めた玉葱ｗの一個ずつを倒立姿勢で延長供給搬送部３ａの長さ範囲内の搬送ベルト１５、１５部分の対向部間に上方から差し込んで順次に手供給するのであり、これによれば作業者は玉葱ｗの１個毎に腰を曲げてそれを拾い上げる必要がなくなり身体の負担が著しく軽減されるほか、玉葱ｗの供給可能範囲が前後方向へ長くなるため複数人による同時供給が可能となって作業能率が向上する。
【００５８】このように供給された玉葱ｗは延長供給搬送部３ａでは鱗茎作物支持搬送部１２及び茎葉保持搬送部１３により或いは、茎葉保持搬送部１３の搬送ベルト２１０、２１０を取り外したときは鱗茎作物支持搬送部１２のみにより前側ケース７内の鱗茎作物供給搬送手段１１まで搬送され、次に鱗茎作物支持搬送部１２及び茎葉下方引き搬送部１４により鱗茎作物調製処理部４まで水平後方へ供給搬送される。この供給搬送において鱗茎作物支持搬送部１２は玉葱茎葉部ｗ２を挟圧することなく玉葱鱗茎部ｗ１を下方から支持して後方へ搬送するのであり、この搬送の途中から茎葉下方引き搬送部１４がその玉葱茎葉部ｗ２を受け入れて順次下方へ引張しつつ後方へ搬送する。
【００５９】鱗茎作物支持搬送部１２が玉葱ｗを搬送している過程で、茎葉荒切り装置２５の左右一対のディスク刃２８が茎引き搬送部１４に達した玉葱茎葉部ｗ２の凡そ５ｃｍ〜１５ｃｍ程度の元側部分を残して先寄り部ｗ２'を切除する。この際、玉葱ｗの茎葉部ｗ２は自重により垂れ下がった状態となってディスク刃２８により玉葱ｗから円滑且つ正確に切り離される。この切り離された先寄り部ｗ２'は真下へ落下して第一の茎葉部排出装置２９のコンベアベルト３０に受け止められ、続いて機台２の右側外方へ搬送されて処理対象畝ｈ上やこの畝ｈの側部に接した溝内に放出される。
【００６０】鱗茎作物供給搬送手段１１により後方へ搬送された玉葱鱗茎部ｗ１は搬送ベルト１５、１５上に整姿された状態で鱗茎作物処理搬送部３４に達するのであり、鱗茎作物処理搬送部３４では挟持搬送ベルト４６、４６がここに達した玉葱鱗茎部ｗ１の左右側部を強固に挟み付けてその姿勢変更が生じないように後方へ搬送する。
【００６１】この搬送中、根部引き起こしブラシ装置３３が玉葱根部を上方へ引き上げて上向き起立状に整えるのであり、この後、玉葱鱗茎部ｗ１が根部切断装置３２のディスク刃４２、４２に近づいたとき前側の案内輪４３ａがその表面に接して玉葱鱗茎部ｗ１の搬送に伴ってその表面上を転動することにより一対のディスク刃４２、４２を順次に上方へ誘導し、玉葱鱗茎部ｗ１に対するその高さを最適状態に制御する。このように制御されたディスク刃４２、４２は鱗茎作物処理搬送部３４により後方へ搬送される玉葱鱗茎部ｗ１を傷つけることなくその根部元を順次に切除するのであり、こうして玉葱鱗茎部ｗ１から切り離された玉葱根部は下方へ落下し、その大部分は第二の茎葉部排出装置３６のコンベアベルト
５４上に、そして他のものは畝ｈ上に落下する。
【００６２】玉葱鱗茎部ｗ１がディスク刃４２、４２の直下を過ぎるとき、今度は後側の案内輪４３ｂが玉葱鱗茎部ｗ１の表面に接して玉葱鱗茎部ｗ１の搬送に伴ってその表面上を転動することにより一対のディスク刃４２、４２を順次に下方へ誘導し、玉葱鱗茎部ｗ１がディスク刃４２、４２の下方を通過するまでこれらディスク刃４２、４２を玉葱鱗茎部ｗ１から離した状態に保持するのであり、玉葱鱗茎部ｗ１がこの箇所を通過した後は、ディスク刃４２、４２は最下位置に達して次の玉葱鱗茎部ｗ１の処理に備える。
【００６３】一方では鱗茎作物供給搬送手段１１から解放された玉葱茎葉部ｗ２が鱗茎作物処理搬送部３４に搬送されつつ、根部切断装置３２の下方に存在する仕上げ切り装置３５のディスク刃５２、５２に達するのであり、これらディスク刃５２、５２は玉挟持搬送ベルト４６、４６による玉葱鱗茎部ｗ１の搬送中にその茎葉部元側部分を玉葱鱗茎部ｗ１から切り離す。玉葱鱗茎部ｗ１から切り離された玉葱茎葉部ｗ２の元側部分は下方に落下して案内板５５に案内されつつ第二の茎葉部排出装置３６のコンベアベルト５４に受け止められる。
【００６４】こうしてコンベアベルト５４上に位置するものとなった玉葱茎葉部ｗ２の元側部分や玉葱根部は機台２の右横外方へ搬送され機台２の右側部から処理対象畝ｈ上或いはこの畝ｈの側部に接した溝内に放出されるのであり、また玉葱ｗから玉葱根部や玉葱茎葉部ｗ２を除去した後に得られる調製処理結果物である玉葱鱗茎部ｗ１は鱗茎作物処理搬送部３４によりさらに少し後方へ搬送された後、鱗茎作物処理搬送部３４から解放される。この解放された玉葱鱗茎部ｗ１は複数の案内棒部材６２上に落下して排出シュータ５６の鱗茎作物受入れ部５７内に転げ落ち、この後、揺動切換板５９の存在しない側の、即ち図６及び図１３に示すように揺動切換板５９が右側に位置されているときは左側の四角筒部材５８を経て転げ落ちその下端開口５８ａから落下し、コンテナ台２２３のコンテナ受け面上の下端開口５８ａ直下のコンテナｃｎに受け止められる。
【００６５】機体前部周辺の処理対象畝ｈ上の玉葱ｗを全て機内に供給した後は、機体後部の走行クラッチレバー７１又は前部の走行クラッチレバー７８を操作して適当な距離だけ機体を前進させて再び停止状態となし、この状態で再び機体前部周辺の処理対象畝ｈ上の玉葱ｗを機内に供給するのであり、以後このような作業を繰り返す。これにより、四角筒部５８の下端開口５８ａ直下のコンテナｃｎは調製処理後の玉葱鱗茎部ｗ１を次々と供給されるのである。このコンテナｃｎが満杯となったときは、これをコンテナ受け面上で前方移動させてこれの代わりに別の空コンテナｃｎを位置させるのであり、このような作業をコンテナｃｎが満杯となる度に繰り返す。満杯となったコンテナｃｎは段重ねすることによりその多数をコンテナ台２２３上に載置することができる。そして、この満杯となったコンテナｃｎが適当数溜まったとき、作業者は機体の走行を停止させ、これを畝ｈ上に降ろすか、圃場外まで運び出すようにする。そして１つの処理対象畝ｈ上の調製処理が終了したときは、次の処理対象となるべき畝ｈに移動し同様の作業を行う。
【００６６】こうして全ての畝ｈの調製処理が終了した後、コンテナ台２２３のコンテナ受け面部２２４を折り畳み機構２２５の前後向き軸２２９回りで引き上げることで図５に仮想線ｋａで示すような起立状態となし、この状態を図示しない係止手段により維持させる。この状態のコンテナ台２２３は折り畳み状態となってその横張り出し量が小さくなるため、機体の走行時に他物と接触し難くなる。
【００６７】
【発明の効果】上記のように構成した本発明によれば、次のような効果が得られるのである。即ち、請求項１に記載したものによれば、調製処理された鱗茎部を圃場の地面上に落下させることなくコンテナ内に収容することを可能となし、圃場から鱗茎部を１個ずつ拾い集める手間が不要となるのである。
【００６８】請求項２に記載した発明によれば、請求項１記載の各発明の効果が得られるほか、機体の比較的下部にコンテナの荷重を付与するものとなって機体の安定性が図られるほか、コンテナ台が地面から適当に離れて地面に接触し難いものとなる。
【００６９】請求項３に記載した発明によれば、請求項１〜２記載の各発明の効果が得られるほか、コンテナ台の不使用状態でコンテナ台の機体からの張り出し量が短縮され、機体の移動時の取扱いが便利となる。
【００７０】請求項４に記載した発明によれば、請求項１〜３記載の各発明の効果が得られるほか、多数のローラがコンテナ台上のコンテナの前後移動を容易となし、複数のコンテナへの鱗茎部の収容処理が便利に行えるものとなる。
【図面の簡単な説明】
【図１】本発明の一実施例に係る走行形鱗茎作物調製機の全体斜視図である。
【図２】前記調製機の全体側面図である。
【図３】前記調製機のコンテナ台を省略した全体側面図である。
【図４】前記調製機の延長供給搬送部の平面図である。
【図５】前記調製機の全体正面図である。
【図６】前記調製機の鱗茎部送出部周辺を示す正面視断面図である。
【図７】前記調製機の調製処理機構を示す側面図である。
【図８】調製処理機構部の平面図である。
【図９】前記調製機の根部切断装置周辺を示す側面図である。
【図１０】前記調製機の根部切断装置周辺を示す後面図である。
【図１１】前記根部切断装置の要部を単独状態とした状態を示す側面図である。
【図１２】前記調製機の根部切断装置の要部を単独状態とした状態を示す平面図である。
【図１３】前記調製機の鱗茎部送出部を示す正面視断面図である。
【図１４】前記調製機の駆動系統の動力断続部を示す側面図である。
【図１５】前記調製機の駆動系統を示す側面図である。
【図１６】前記調製機の駆動系統を示す後面図である。
【符号の説明】
１  走行部
２  機台
５  鱗茎部送出部
６８  操縦ハンドル
２２３  コンテナ台
２２７  ローラ
ｗ  玉葱（鱗茎作物）
ｗ１  玉葱鱗茎部
ｗ２  玉葱茎葉部
ｃｎ  コンテナ